(57)【要約】【課題】  気持ちのこもった文章を載せたお悔やみ文または礼状文を格調高く載せた状態で、ほとんど宛て先や送り人の住所氏名を書くだけで発送でき、また、遺族側ではそれに対する返礼を直ちに送ることのできる葬送用のメッセージ用紙を提供する。【解決手段】  中央の切り取り線で二つ折りされる一方の表紙と他方の裏表紙とのうち、表紙の外面に弔いに適する絵模様を描くとともに配達可能に遺族への宛て先記入欄を設け、また、この表紙の裏面に葬送のメッセージを記載するとともに、送り人の住所氏名の記載欄を設けてあり、裏表紙には、故人について一言を書くメッセージスペースを有する納棺用カードと、送り人に対する返信用礼状カードとをそれぞれ切り取り線で囲んで設けた。【選択図】    図１
2005138517.tif 000002
【特許請求の範囲】
【請求項１】
中央の切り取り線で二つ折りされる一方の表紙と他方の裏表紙とのうち、表紙の外面に弔いに適する絵模様を描くとともに配達可能に遺族への宛て先記入欄を設け、また、この表紙の裏面に葬送のメッセージを記載するとともに、送り人の住所氏名の記載欄を設けてあり、裏表紙には、故人について一言を書くメッセージスペースを有する納棺用カードと、送り人に対する返信用礼状カードとをそれぞれ切り取り線で囲んで設けたことを特徴とする葬送用のメッセージ用紙。
【請求項２】
中央の切り取り線で二つ折りされる一方の表紙と他方の裏表紙とのうち、表紙の外面に弔いに適する絵模様を描くとともに配達可能に遺族への宛て先記入欄を設け、また、この表紙の裏面に葬送のメッセージを記載するとともに、送り人の住所氏名の記載欄を設けてあり、裏表紙には、故人について一言を書くメッセージスペースを有する納棺用カードを切り取り線で囲んで設けたことを特徴とする葬送用のメッセージ用紙。
【請求項３】
中央の切り取り線で二つ折りされる一方の表紙と他方の裏表紙とのうち、表紙の外面に弔いに適する絵模様を描くとともに配達可能に遺族への宛て先欄を設け、また、この表紙の裏面に葬送のメッセージを記載するとともに、送り人の住所氏名の記入欄を設けてあり、送り人に対する返信用礼状カードを切り取り線で囲んで設けたことを特徴とする葬送用のメッセージ用紙。
【請求項４】
故人について一言を書き添えることのできるメッセージスペースを有する面の裏面に、故人または遺族への宛て先の記入欄と送り人の住所氏名等の記入欄とを有する納棺用カードと、それに対する返礼を書き添えることのできるメッセージスペースを有する面の裏面に、前記送り人の宛て先の記入欄を設けた返信用礼状カードとをそれぞれ切り取り線で囲んで併設したことを特徴とする葬送用のメッセージ用紙。
【発明の詳細な説明】
【技術分野】
【０００１】
この発明は、知人やその家族の逝去の報に接したときに、お悔やみやお別れ、お礼の言葉等を記入して葬儀側へ納め、あるいは相互に何らかの形で交わすために使用する葬送用のメッセージ用紙に関する。
【背景技術】
【０００２】
通夜、葬儀・告別式等の弔事のさまざまな場面では、遺族側と弔問側で挨拶や書状がかわされる。そのうち、遺族側については、葬儀、告別式での挨拶や出棺に先立っての会葬の謝辞、精進落としの案内、会葬礼状などであり、弔問側については、お悔やみの言葉、弔辞、お悔やみ状などである。このうち、葬送用のメッセージ用紙に係わるものとしては、会葬礼状、弔辞、お悔やみ状を主に挙げることができる。
【０００３】
弔辞は、故人との思い出や故人親交のエピソードを惜別の念とともに語るもので、予め原稿を書き、奉納書に清書して書かれ、弔辞朗読が終わったときにそれが霊前に奉納される。弔辞は、故人に捧げる惜別の言葉であり、遺族や葬儀の代表者などから事前に依頼された者が引き受けることになるが、多くの弔問客の中には弔辞を朗読するまでは望まないが故人に対する特別の思いから一言を何らかの形で故人に伝えたいという思いにかられる人も少なくない。
【０００４】
また、お悔やみ状は、やむをえない都合で通夜、葬儀・告別式に出席できない場合、取り敢えず弔電を出しておいて、早いうちに出されるお悔やみの手紙であるが、冗長にならないように心掛ける必要があるところ、突然のことなので、適当な文章が見当たらないことになる場合が多い。また、普通の葉書や手紙であると、冥福を祈るという格調に欠けるという問題がった。
【０００５】
一方、会葬礼状は、本来なら葬儀・告別式に来てくださったかたがたへのお礼状で、葬儀の後に郵送する会葬御礼の礼状で、喪主の挨拶回りに代わるものであるが、最近では、葬儀・告別式ばかりでなく通夜に出席した弔問客にも香典返しとと同時に会場の受付や出口で手渡されることが多くなっている。これは簡便で慌ただしい時代の要請によるものであるが、通夜、告別式に出られないためにお悔やみ状が送られてきた人にその会葬礼状を返礼としてそのまま転用できないので、面倒でも別途礼状をつくる必要があった。
【発明の開示】
【発明が解決しようとする課題】
【０００６】
この発明は、上記のような実情に鑑みて、気持ちのこもった文章を載せたお悔やみ文または礼状文を格調高く載せた状態で、ほとんど宛て先や送り人の住所氏名を書くだけで発送でき、また、遺族側ではそれに対する返礼を直ちに送ることのできる葬送用のメッセージ用紙を提供することを課題とした。
【課題を解決するための手段】
【０００７】
上記の課題を解決するために、第１発明は、中央の切り取り線で二つ折りされる一方の表紙と他方の裏表紙とのうち、表紙の外面に弔いに適する絵模様を描くとともに配達可能に遺族への宛て先記入欄を設け、また、この表紙の裏面に葬送のメッセージを記載するとともに、送り人の住所氏名の記載欄を設けてあり、裏表紙には、故人について一言を書くメッセージスペースを有する納棺用カードと、送り人に対する返信用礼状カードとをそれぞれ切り取り線で囲んで設けたことを特徴とする葬送用のメッセージ用紙を提供する。
【０００８】
第２発明は、中央の切り取り線で二つ折りされる一方の表紙と他方の裏表紙とのうち、表紙の外面に弔いに適する絵模様を描くとともに配達可能に遺族への宛て先記入欄を設け、また、この表紙の裏面に葬送のメッセージを記載するとともに、送り人の住所氏名の記載欄を設けてあり、裏表紙には、故人について一言を書くメッセージスペースを有する納棺用カードを切り取り線で囲んで設けたことを特徴とする葬送用のメッセージ用紙を提供する。
【０００９】
第３発明は、中央の切り取り線で二つ折りされる一方の表紙と他方の裏表紙とのうち、表紙の外面に弔いに適する絵模様を描くとともに配達可能に遺族への宛て先欄を設け、また、この表紙の裏面に葬送のメッセージを記載するとともに、送り人の住所氏名の記入欄を設けてあり、送り人に対する返信用礼状カードを切り取り線で囲んで設けたことを特徴とする葬送用のメッセージ用紙を提供するものである。
【００１０】
第４発明は、故人について一言を書き添えることのできるメッセージスペースを有する面の裏面に、故人または遺族への宛て先の記入欄と送り人の住所氏名等の記入欄とを有する納棺用カードと、それに対する返礼を書き添えることのできるメッセージスペースを有する面の裏面に、前記送り人の宛て先の記入欄を設けた返信用礼状カードとをそれぞれ切り取り線で囲んで併設したことを特徴とする葬送用のメッセージ用紙を提供する。
【００１１】
葬送用のメッセージ用紙を上記のように構成したから、表紙には、親族への宛て先記入欄と、送り人の住所氏名の記入欄とにそれぞれ記入してあれば、目的の場所に配達され、それが霊前において他の電報等と同時に読み上げられる。このとき、裏表紙に納棺用カードが設けてあると、それに故人についての一言のメッセージを記入して、花とともに納棺されることにより満足することができる。
【００１２】
また、上下二段の葉書として一方の葉書（納棺用）に宛て名を書いて他方を返信用として郵送すれば、遺族側では都合良く返信礼状をそれで出すことができる。
【発明の効果】
【００１３】
以上説明したように、この発明の葬送用のメッセージ用紙によれば、気持ちのこもった文章を載せたお悔やみ文または礼状文を格調高く載せた状態で、ほとんど宛て先や送り人の住所氏名を書くだけで発送できるので、急を要するときに即応でき、また、遺族側ではそれに対する返礼を直ちに送ることができて、弔問側と葬儀側との双方に非常に好都合であるという優れた効果がある。
【発明を実施するための最良の形態】
【００１４】
図１ないし図３は、この発明に係る一実施の形態を示したものであるがこれに限定されるものではない。、その葬送用のメッセージ用紙は、Ｂ４程度の大きさの横長の紙を二つ折りにしたもので、図１は展開した外面を、図２は内面をそれぞれ示し、図３が二つ折りして表紙１と裏表紙２とが重なった状態を示す。この二つ折り状態で封筒に入れて郵送され、あるいは電報等として届けられる。なお、電報の場合は局で必要事項が記入される。
【００１５】
表紙１と裏表紙２との間には二つ折り線を兼ねて切り取り線３が設けられている。展開外面（図１）を見た場合、向かって右側が表紙１の外面であるが、そこには、中央よりも上部に模様のある太枠で囲って、親族への宛て先記入欄５が設けられ、それよりも下には弔いの標題７と絵模様８とが表示され、また、上端の右よりには、宛て先の郵便番号枠９が設けられる。なお、弔い標題７は、「謹弔」の文字で記載され、絵模様８は、その標題７の文字を中心にし、下に蓮の花を描くとともに、左右に吉兆の鳥を描いた模様となっている。
【００１６】
したがって、郵送するときには、透明紙で窓を設けた封筒を使用し、少なくとも宛て先記入欄５と郵便番号枠９とが透けて見え、好ましくは弔いの標題７や絵模様８も見えるよう全体的に透けて見える封書とする。そうすると、受け取った葬儀側では、それが弔問の書面であることが一見して分かるので直ちに開封して不手際なく適切に取り扱いできる。葬儀側での取り扱いの第１は、中央の二つ折り線３で切り取って表紙１を霊前で読み上げる準備をしておくことである。
【００１７】
表紙１の裏には、図２の左側に示すように、「葬送のメッセージ」と題し、「喪主、遺族ご親族の皆様へ」に続いて、格調高いメーセージ文１１が印刷され、下には送り人の住所氏名の記入欄１３が設けられているので、霊前においては担当者により他の電報などと同時に必要事項が読み上げられる。そこで、この表紙１については、送り人側で親族への宛て先記入欄５と送り人の住所氏名の記入欄１３とに所定事項を記載するだけで、適切に哀悼の意を表することができ便利である。つまり、メッセージの文章を考える必要がない。
【００１８】
次に、裏表紙２については、二つ折りの内側に（図２）上下二段に葉書１５，１６が既成の葉書の表（宛て名面）形式で記載され、少ない切り取り線１８，１９，２０で切り取って使用できるように、用紙に葉書１５，１６が縁合わせしてある。また、弔事用として葉書１５，１６の縁は青の太線２１により枠取られている。一方、裏表紙２の外面（図１）には、それぞれ葉書１５，１６の裏（文章記載側）を色彩絵模様で表すとともに、その中にメッセージスペース２３，２４が設けられている。
【００１９】
使用者において、前記の表紙１を使用する場合には、返信用である葉書１６は未記入とする。また、葉書１５には必ずしも記入する必要はないが、宛て先記入欄５（図２）に故人または遺族の名前を書き、裏のメッセージスペース２３（図１）に、これまで言う機会がなかった一言を書いて二つ折りで表紙１と同時に送って、葬儀側でそれを納棺すれば、送り人がこれで満足が得られることになる。この場合は、葉書１５が納棺用カードとして使用されたことになる。
【００２０】
図４は、他の実施の形態として、納棺用に使うことを文字２５ではっきり記載した納棺用カード１７を示した。
【００２１】
こうして、表紙１と上の葉書１５またはカード１７とに所要事項を書いて出したとしたら、それを受け取った遺族側または葬儀側では、上記のように、葬送のメッセージ１１は霊前で読まれ、葉書１５またはカード１７は納棺されるが、下の葉書１６は空白のままであるので、遺族側においてはこれを返信用礼状として使用し、これを送り人に郵送することができ、この場合、同一内面に有する欄１３の送り人の住所氏名を見ながら都合良くそれを葉書１６に記載できる。
【００２２】
また、他の使い方としては、葉書１５，１６を一緒に切り取って、葉書１５に上記のように所定事項を書き、切り取り線１８で二つ折りにして郵送すると、親族側では葉書１６で直ちに返信できる。
【００２３】
なお、この葬送用のメッセージ用紙の用途は、電報、カード、レタックス、手紙、メッセージ等として挙げることができる。
【図面の簡単な説明】
【００２４】
【図１】この発明に係る一実施の形態を示す葬送用のメッセージ用紙の展開表面図である。
【図２】同葬送用のメッセージ用紙の展開裏面図である。
【図３】同葬送用のメッセージ用紙の二つ折り状態を示す一部切欠した平面図である。
【図４】他の実施形態を示す納棺用カードの平面図である。
【符号の説明】
【００２５】
１  表紙
２  裏表紙
３  切り取り線
５  遺族への宛て先記入欄
８  絵模様
１１  メッセージ
１３  送り人の住所氏名の記入欄
１５  葉書（納棺用カード）
１６  返信用礼状カード
１７  納棺用カード
１８，１９，２０  切り取り線
【図１】
2005138517.tif 000003
【図２】
2005138517.tif 000004
【図３】
2005138517.tif 000005
【図４】
2005138517.tif 000006